(57)【要約】【課題】  エレベータ制御盤の制御部が機能停止しているときでも、監視センターにエレベータの監視情報を送信することができるエレベータ遠隔監視装置を得る。【解決手段】  エレベータ遠隔監視装置３の制御部４は、通信インタフェース６を介してのエレベータ制御盤７との通信によりエレベータの監視情報を取得して、記憶部１５に格納しておき、タイマ１６により一定時間がカウントされる毎に記憶部１５に蓄積されたエレベータの監視情報を通信回路５により公衆網２を経由して監視センター１に送信するようにし、定時通信のタイミングにエレベータ制御盤７が省エネ機能停止中でも、事前に入手したエレベータの監視情報を用いて定時通信を行うことができるようにした。【選択図】図１
2006143449.tif 000002
【特許請求の範囲】
【請求項１】
省エネ停止機能を有するエレベータ制御盤及び監視センターにネットワークを介して接
続され、上記エレベータ制御盤から上記エレベータ制御盤により制御されるエレベータの
監視情報を受信し、この受信した上記エレベータの監視情報を上記監視センターに送信す
るエレベータ遠隔監視装置において、上記エレベータの監視情報を蓄積する記憶部、一定
時間をカウントするタイマ、上記エレベータ制御盤との通信を行う通信インタフェース、
上記監視センターとの通信を行う通信回路、及び上記通信インタフェースを介する上記エ
レベータ制御盤との通信により上記エレベータの監視情報を受信し、この受信したエレベ
ータの監視情報を上記記憶部に蓄積すると共に、上記タイマによりカウントされる一定時
間毎に上記記憶部に蓄積されたエレベータの監視情報を上記通信回路により上記監視セン
ターに送信する制御部を備えたことを特徴とするエレベータ遠隔監視装置。
【請求項２】
上記制御部は、上記タイマにより一定時間がカウントされたとき、上記エレベータ制御
盤との通信確立を確認した後、上記一定時間毎の送信を行うことを特徴とする請求項１記
載のエレベータ遠隔監視装置。
【請求項３】
閉成することにより上記エレベータ制御盤を起動するように接続された接点出力を備
え、上記制御部は、上記タイマにより一定時間がカウントされたとき、上記接点出力を閉
成してエレベータ制御盤との通信確立を確認した後、上記一定時間毎の送信を行うことを
特徴とする請求項１記載のエレベータ遠隔監視装置。
【請求項４】
上記エレベータ制御盤は、停止中であっても乗り場呼びボタンが押下されることにより
起動されるように構成されていると共に、上記接点出力は、乗り場呼びボタンと並列に接
続されていることを特徴とする請求項３記載のエレベータ遠隔監視装置。
【請求項５】
上記制御部は、上記監視センターからのエレベータの監視情報の要求に応じて、上記エ
レベータの監視情報を上記監視センターに送信することを特徴とする請求項１〜請求項４
のいずれかに記載のエレベータ遠隔監視装置。
【発明の詳細な説明】
【技術分野】
【０００１】
この発明は、エレベータ制御盤及び監視センターと接続され、監視センターにエレベー
タの情報を通報するとともに、監視センターから情報収集することができるエレベータ遠
隔監視装置に関するものである。
【背景技術】
【０００２】
特許文献１に示される従来のエレベータ遠隔監視装置は、エレベータの運行を監視し、
エレベータの異常発生を検出してこれを発報する端末装置と、この端末装置からの発報を
通信手段により受信する管理部を備え、端末装置にエレベータの運行中の各種データを蓄
積する記憶部を設け、異常発生の発報を受けたとき、管理部は、記憶部のデータにより故
障原因を推論するようにしたものが、示されている。
また、特許文献２には、エレベータの異常が検出されたとき、エレベータの動作データ
を収集したメモリから、異常動作の発生直前の一定時間区間の少なくとも乗りかごの移動
軌跡データを含むエレベータの動作データを読出し、故障診断装置に送信して、故障診断
を行うものが、示されている。
【０００３】
【特許文献１】特開平０５−１９３８５５号公報（第４〜８頁、図１）
【特許文献２】特開平０６−１５５６号公報（第２〜３頁、図１）
【発明の開示】
【発明が解決しようとする課題】
【０００４】
従来のエレベータ制御盤は、２４時間電源が投入され、内蔵される制御部は、停止しな
いものであった。
しかし、究極の省エネエレベータを目指すため、一定時間使用されないとエレベータ制
御盤の制御部を機能停止（マイコンを停止）させるものが、考えられる。
その場合、エレベータ遠隔監視装置として、以下の３点の問題点がある。
（１）エレベータ制御盤からの開始指示により、監視センターにエレベータの状態を伝え
る場合には、エレベータ制御盤が機能停止すると開始指示ができなくなる。
（２）エレベータ制御盤の正常／異常をエレベータ制御盤との間の通信状態を監視するこ
とによって行う場合には、エレベータ制御盤が機能停止すると通信が異常となってしまい
、エレベータ制御盤の正常／異常の判断ができなくなる。
（３）監視センターからエレベータの状態の問い合わせが来たときは、エレベータ制御盤
との通信によりエレベータの状態を入手し、監視センターに送信する必要があるが、エレ
ベータ制御盤が機能停止しているとエレベータの状態が入手できない。
特許文献１、２のものでは、異常発生時にエレベータのデータを管理部または故障診断
装置に送信して故障診断を行うようにしたものが示されているとはいえ、省エネのために
エレベータ制御盤が機能停止する場合については、何ら記載がなかった。
【０００５】
この発明は、上述のような課題を解決するためになされたものであり、エレベータ制御
盤の制御部が機能停止しているときでも、監視センターにエレベータの監視情報を送信す
ることができるエレベータ遠隔監視装置を得ることを目的にしている。
【課題を解決するための手段】
【０００６】
この発明に係わるエレベータ遠隔監視装置においては、省エネ停止機能を有するエレベ
ータ制御盤及び監視センターにネットワークを介して接続され、エレベータ制御盤からエ
レベータ制御盤により制御されるエレベータの監視情報を受信し、この受信したエレベー
タの監視情報を監視センターに送信するエレベータ遠隔監視装置において、エレベータの
監視情報を蓄積する記憶部、一定時間をカウントするタイマ、エレベータ制御盤との通信
を行う通信インタフェース、監視センターとの通信を行う通信回路、及び通信インタフェ
ースを介するエレベータ制御盤との通信によりエレベータの監視情報を受信し、この受信
したエレベータの監視情報を記憶部に蓄積すると共に、タイマによりカウントされる一定
時間毎に記憶部に蓄積されたエレベータの監視情報を通信回路により監視センターに送信
する制御部を備えたものである。
【発明の効果】
【０００７】
この発明は、以上説明したように、省エネ停止機能を有するエレベータ制御盤及び監視
センターにネットワークを介して接続され、エレベータ制御盤からエレベータ制御盤によ
り制御されるエレベータの監視情報を受信し、この受信したエレベータの監視情報を監視
センターに送信するエレベータ遠隔監視装置において、エレベータの監視情報を蓄積する
記憶部、一定時間をカウントするタイマ、エレベータ制御盤との通信を行う通信インタフ
ェース、監視センターとの通信を行う通信回路、及び通信インタフェースを介するエレベ
ータ制御盤との通信によりエレベータの監視情報を受信し、この受信したエレベータの監
視情報を記憶部に蓄積すると共に、タイマによりカウントされる一定時間毎に記憶部に蓄
積されたエレベータの監視情報を通信回路により監視センターに送信する制御部を備えた
ので、定時通信のタイミングにエレベータ制御盤が省エネ停止中でも、事前に入手したエ
レベータの監視情報を用いて定時通信を行うことができる。
【発明を実施するための最良の形態】
【０００８】
実施の形態１．
以下、この発明について図を使用して説明する。
図１は、この発明の実施の形態１によるエレベータ遠隔監視装置を示すシステム構成図
である。
図１において、省エネ停止機能をもつエレベータ制御盤７には、制御部８が内蔵され、
各処理を行うと共に、通信インタフェース９でエレベータ遠隔監視装置３と通信を行って
いる。エレベータ制御盤７は、省エネ停止機能を有するので、一定時間エレベータの操作
がないと、制御部８は、自ら機能停止を行い停止する。
停止状態からの復帰は、利用者が乗り場呼びボタン１２を押すことにより行う。よって
エレベータ制御盤７のボタンインタフェース１３は、ＣＰＵ起動回路１１に接続され、乗
り場呼びボタン１２が押されると、制御部８が自動的に起動するように構成されている。
一方、エレベータ制御盤７の受信データ監視回路１０は、通信インタフェース９を介して
エレベータ遠隔監視装置３からの受信データを監視し、受信データがあれば、制御部８を
自動的に起動するようにも構成されている。
【０００９】
エレベータ遠隔監視装置３は、通信インタフェース６にてエレベータ制御盤７と通信を
行い、エレベータの監視情報を取得し、このエレベータの監視情報を通信回路５により、
公衆網２（ネットワーク）を経由して監視センター１に通信する。エレベータ遠隔監視装
置３の制御部４は、エレベータの監視情報を記憶部１５に蓄積し、タイマ１６により一定
時間がカウントされる毎に、記憶部１５に蓄積されたエレベータの監視情報を監視センタ
ー１に送信する。なお、記憶部１５及びタイマ１６は、制御部４に内蔵されてもよい。
また、制御部４は、接点出力１４を制御し、この接点出力１４は、エレベータ制御盤７
のボタンインタフェース１３に入力される。このエレベータ遠隔監視装置３の接点出力１
４は、通常はリレーなどのメカニカル接点を指すが、本発明においてはトランジスタ、Ｆ
ＥＴなどが用いられ、ボタンインタフェース１３をオン、オフ制御できるものであれば、
どのようなインタフェースでも使用することができる。
【００１０】
以下、エレベータ遠隔監視装置３の制御部４の処理について図２に基づき説明する。
図２は、この発明の実施の形態１によるエレベータ遠隔監視装置の制御部の処理を示す
フローチャートである。
図２で、ステップＳ１１にてエレベータから監視情報が送信されてくれば、ステップＳ
１２にて記憶部１５に監視情報を蓄える。ステップＳ１３にて定時通信を行う時間に達し
ていると判断されれば、ステップＳ１４にて記憶部１５に蓄えたエレベータの監視情報を
添えて監視センター１に情報を送信する。
【００１１】
実施の形態１によれば、一定時間をカウントする機能をエレベータ遠隔監視装置３にも
たせたので、エレベータ制御盤７に、制御部８が機能停止している間カウントを続けるた
めのタイマ１６を設ける必要がない。
また、エレベータ遠隔監視装置３に、エレベータの監視情報を予め格納しておく記憶部
１５を設けたので、定時通信のタイミングにエレベータ制御盤が省エネ機能停止中でも、
事前に入手したエレベータの監視情報を定時通信することができる。
【００１２】
実施の形態２．
以下、実施の形態２について図３を参照して説明する。
図３は、この発明の実施の形態２によるエレベータ遠隔監視装置の制御部の処理を示す
フローチャートである。
【００１３】
図３で、ステップＳ２１にて定時通信を行う時間に達したと判断されれば、ステップＳ
２２にてエレベータとの通信状態を確認し、エレベータとの通信が停止していれば、ステ
ップＳ２３にてエレベータとの通信を開始する。または接点出力１４を一時的に閉じる。
そして、ステップＳ２４にてエレベータとの通信確立を確認し、ステップＳ２５にてエ
レベータから監視情報を受け取り、そのデータを添えて監視センターに送信する。
なお、実施の形態２では、ステップＳ２５でエレベータから監視情報を受け取ることに
したが、システムの要求機能により割愛してもよい。
【００１４】
実施の形態２によれば、一定時間をカウントする機能をエレベータ遠隔監視装置３にも
たせたので、エレベータ制御盤７に制御部８が機能停止している間カウントを続けるため
のタイマ１６を設ける必要がない。
また、定時通信する条件が成立したらエレベータとの通信を開始し、エレベータとの通
信が正常になることを確認した後、定時通信を行うようにしたため、定時通信のタイミン
グにエレベータ制御盤７が省エネ機能停止中でも、エレベータ制御盤７の正常／異常を確
認し、監視センター１に通報することができる。
【００１５】
また、ステップＳ２３で、接点出力１４を一時的に閉じる場合は、定時通信する条件が
成立したら接点出力１４を一時的に閉じ、エレベータとの通信が正常になることを確認し
た後、定時通信を行うようにしたため、定時通信毎にエレベータ制御盤７の正常／異常を
確認し、監視センター１に通報することができる。
【００１６】
実施の形態３．
図１において、エレベータ制御盤７を起動するための接点出力１４を、エレベータ制御
盤７のボタンインタフェース１３に並列に接続した。このボタンインタフェース１３は、
ＣＰＵ起動回路１１に接続され、接点出力１４がオンすると、制御部８が自動的に起動す
るように構成されている。
【００１７】
実施の形態３によれば、エレベータ遠隔監視装置３は、接点出力１４をエレベータの乗
り場呼びボタン１２の接点に並列に接続するようにし、乗り場呼びボタン１２を押される
と省エネモードから復帰するエレベータの標準装備の機能を用いることにより、エレベー
タに特別な改造を施さなくても、本発明のエレベータ遠隔監視装置を取り付けることが可
能となる。
【００１８】
実施の形態４．
図２のステップＳ１３及び図３のステップＳ２１で、定時通信を行う時間に達したかど
うかの判断処理に替えて、監視センター１からエレベータの監視情報の要求があるかどう
かの判断処理とする。この他の処理は、図２及び図３と同じとする。
【００１９】
実施の形態４によれば、エレベータ制御盤７が省エネ機能停止中に、監視センター１か
らエレベータの監視情報を要求されたときでも、エレベータの監視情報を監視センター１
に送信することができる。
【００２０】
なお、実施の形態４は、実施の形態１〜３と共に用いることができる。すなわち、定時
通信しながら、監視センターからの要求に応じて、エレベータの監視情報を送信するよう
に構成してもよい。
【図面の簡単な説明】
【００２１】
【図１】この発明の実施の形態１によるエレベータ遠隔監視装置を示すシステム構成図である。
【図２】この発明の実施の形態１によるエレベータ遠隔監視装置の制御部の処理を示すフローチャートである。
【図３】この発明の実施の形態２によるエレベータ遠隔監視装置の制御部の処理を示すフローチャートである。
【符号の説明】
【００２２】
１  監視センター、２  公衆網、３  エレベータ遠隔監視装置、
４，８  制御部、５  通信回路、６，９  通信インタフェース、
７  エレベータ制御盤、１０  受信データ監視回路、１１  ＣＰＵ起動回路、
１２  乗り場呼びボタン、１３  ボタンインタフェース、１４  接点出力、
１５  記憶部、１６  タイマ。
【図１】
2006143449.tif 000003
【図２】
2006143449.tif 000004
【図３】
2006143449.tif 000005